(57)【要約】【課題】聴覚により効率的に文字又は文章の内容をイメージ可能とする音楽フォント出力装置、フォントデータベース及び言語入力フロントエンドプロセッサを提供すること。【解決手段】記号コードに対応する文字又は記号の描画情報と記号コードに対応する第１の音楽データと、が記憶されたフォントデータベース１７と、記号コードに対応する描画情報に基づき文字又は記号を表示装置１４に表示する記号表示手段１３と、記号コードに対応する第１の音源データに基づき音楽を出力する音楽出力手段１５と、を有することを特徴とする音楽フォント出力装置を提供する。【選択図】図３
2006323827.tif 000002
【特許請求の範囲】
【請求項１】
記号コードに対応する文字又は記号の描画情報と前記記号コードに対応する第１の音楽データと、が記憶されたフォントデータベースと、
前記記号コードに対応する前記描画情報に基づき文字又は記号を表示装置に表示する記号表示手段と、
前記記号コードに対応する前記第１の音楽データに基づき音楽を出力する音楽出力手段と、
を有することを特徴とする音楽フォント出力装置。
【請求項２】
前記記号コードが入力された場合、
前記記号コードに対応づけて記憶された前記第１の音楽データを抽出し、該第１の音楽データに基づき音楽を出力するための前記第１の音源データを生成する音源データ生成手段を、有し、
前記音楽出力手段は、前記音源データ生成手段により生成された前記第１の音源データに基づき音楽を出力する、
ことを特徴とする請求項１記載の音楽フォント出力装置。
【請求項３】
記号コードに対応する文字又は記号の描画情報が記憶されたフォントデータベースと、
複数の文字又は記号から構成される用語の用語コードに対応づけて記憶された第２の音楽データと、
前記記号コードに対応する前記描画情報に基づき文字又は記号を表示装置に表示する記号表示手段と、
前記記号コードに対応する前記第２の音楽データに基づき音楽を出力する音楽出力手段と、
を有することを特徴とする音楽フォント出力装置。
【請求項４】
前記用語コードが入力された場合、
前記用語コードに対応づけて記憶された第２の音楽データを抽出し、該第２の音楽データに基づき音楽を出力するための前記第２の音源データを生成する音源データ生成手段を、有し、
前記音楽出力手段は、前記音源データ生成手段により生成された前記第２の音源データに基づき音楽を出力する、
ことを特徴とする請求項３記載の音楽フォント出力装置。
【請求項５】
前記記号コード又は前記用語コードは、文字入力装置から入力される、ことを特徴とする請求項１ないし４いずれか記載の音楽フォント出力装置。
【請求項６】
前記記号コード又は前記用語コードは、アプリケーションソフトウェアのデータファイルから入力される、ことを特徴とする請求項１ないし４いずれか記載の音楽フォント出力装置。
【請求項７】
前記用語コードに対応づけられて記憶された第２の音楽データは、入力された一連の記号コードを、辞書を利用して漢字を含む文に変換する言語入力フロントエンドプロセッサが備える、ことを特徴とする請求項３又は４記載の音楽フォント出力装置。
【請求項８】
前記フォントデータベースに、前記用語の用語コードに対応づけて用語間の優先順位が記憶されており、
前記音楽出力手段は、前記優先順位の高い順に前記音楽を出力する、
ことを特徴とする請求項６記載の音楽フォント出力装置。
【請求項９】
前記用語コードを含む電子メールを受信する受信手段と、
前記電子メールに含まれる前記用語コードに対応した前記第２の音楽データが前記フォントデータベースに記憶されているか否かを判定する手段と、
前記用語コードに対応した前記第２の音楽データが前記フォントデータベースに記憶されている場合、前記音楽出力手段は、前記電子メールの着信音として前記第２の音楽データに基づき生成した前記第２の音源データ又は記憶されている前記第２の音源データに基づき音楽を出力し、
前記用語コードに対応した前記第２の音楽データが前記フォントデータベースに記憶されていない場合、前記音楽出力手段は、前記電子メールの着信音を出力する、
ことを特徴とする請求項３記載の音楽フォント出力装置。
【請求項１０】
ネットワークを介して接続された発信端末から受信した電子メールを、ネットワークを介して接続された受信端末に送信するメールサーバにおいて、
複数の文字又は記号から構成される用語の用語コードに対応づけて記憶された音楽データと、
前記用語に対応する前記音楽データに基づき前記音源データを生成するか、又は、前記用語に対応する前記音源データを抽出して、前記電子メールに添付する音楽データ添付手段と、
前記音楽データが添付された前記電子メールを前記受信端末に送信する送信手段と、
を有することを特徴とするメールサーバ。
【請求項１１】
前記送信端末は、前記音源データの添付を依頼する音楽付加依頼情報を前記電子メールと共に該メールサーバに送信する、
ことを特徴とする請求項１０記載のメールサーバ。
【請求項１２】
前記受信端末は、受信した前記電子メールに前記音源データが添付されていた場合、前記電子メールの着信音として当該音源データに基づき音楽を出力する、
ことを特徴とする請求項１０記載のメールサーバ。
【請求項１３】
記号コードに対応づけて文字又は記号の描画情報が記憶されたフォントデータベースであって、
前記記号コードと対応づけて第１の音楽データを格納している、
ことを特徴とするフォントデータベース。
【請求項１４】
複数の前記記号コードから構成される用語の用語コードに対応づけて第２の音楽データを有し、
前記用語の用語コードに対応づけて用語間の優先順位が記憶されている、
ことを特徴とする請求項１３記載のフォントデータベース。
【請求項１５】
入力された一連の記号を、辞書を利用して漢字を含む文に変換する言語入力フロントエンドプロセッサであって、
前記辞書は、複数の前記記号又は文字から構成される用語の用語コードに対応づけて音楽データを格納している、
ことを特徴とする言語入力フロントエンドプロセッサ。
【発明の詳細な説明】
【技術分野】
【０００１】
本発明は、音楽フォント出力装置、フォントデータベース及び言語入力フロントエンドプロセッサに関し、特に、文字と共に音楽を出力する音楽フォント出力装置、フォントデータベース及び言語入力フロントエンドプロセッサに関する。
【背景技術】
【０００２】
コンピュータ等の情報処理装置で文字を表示する場合、キーボードなどの文字入力機器から入力された文字コードに対応する文字が表示装置に表示される。ユーザは、入力された文字を視覚で認識して文字、単語又は文章の内容を把握する。文字で構成される情報の内容把握は、ネットワークを介して送信されたファイル等を表示装置に表示する場合も同様であり、ユーザは、送信して表示された文字を視覚で認識して文章等の内容を把握する。
【０００３】
そこで、文章の内容を把握する時間を短縮したり支援するため、文書の内容を音声で読み上げる発明が提案されている（例えば、特許文献１参照。）。特許文献１には、所定の単語の発生を禁止して、テキストデータの文章 を音声 信号に変換して音声出力するテキスト音声 変換装置が記載されている。
【０００４】
また、文章を読み上げるだけでなく、予め定めた記号が入力された場合に該記号と対応づけられている効果音を出力する発明が提案されている（例えば、特許文献２参照。）。特許文献２では、文章に絵文字が含まれている場合、文章を読み上げると共に絵文字の部分で効果音が挿入して出力される。
【０００５】
また、文字の表示と音楽を関連づける技術として、例えば、タッチパネルのようにキーストロークが浅い入力装置等で、文字が入力されたことをユーザに報知するため、キータッチ毎に操作音が鳴らされる技術が実施されている。
【特許文献１】国際公開第ＷＯ１９９７／０３７３４４号パンフレット
【特許文献２】特開２００３−１５０５０７号公報
【発明の開示】
【発明が解決しようとする課題】
【０００６】
しかしながら、特許文献１記載の発明のように音声を読み上げる場合、文章の内容を全て聞かないと内容を正確に把握することが困難である。長い文章の内容を理解する場合、要約だけを把握したい場合が少なくない。また、文章の読み上げは、単語や文節毎に区切らないと読み上げられた音声に違和感が生じるため、文字の入力と同時に文章を読み上げることは困難である。
【０００７】
また、特許文献２記載の発明のように、絵文字に対応する効果音を発する場合、該絵文字が文章の内容を表しているとは限らず、かえって内容の把握を阻害するおそれがある。文章の内容に即した効果音を用意するため、絵文字及び対応する効果音を増加させると、効果音の記憶容量が膨大となり、抽出に時間がかかると共にコスト増となる問題が生じる。また、絵文字及び対応する効果音を増加させると。ユーザは対応づけられた効果音を記憶することが困難となり、使い勝手が低下してしまう。
【０００８】
キー操作の度に操作音を鳴らす場合においても、操作音は入力される文字又は文書の内容と何ら関係ないため、ユーザは操作音を聞いても内容の把握をすることはできない。
【０００９】
本発明は、上記問題に鑑み、聴覚により効率的に文字又は文章の内容をイメージ可能とする音楽フォント出力装置、フォントデータベース及び言語入力フロントエンドプロセッサを提供することを目的とする。
【課題を解決するための手段】
【００１０】
上記問題に鑑み、本発明は、記号コード（例えば、文字コード）に対応する文字又は記号の描画情報と記号コードに対応する第１の音楽データと、が記憶されたフォントデータベースと、記号コードに対応する描画情報に基づき文字又は記号を表示装置に表示する記号表示手段（例えば、ラスタライザ１３）と、記号コードに対応する第１の音楽データに基づき音楽を出力する音楽出力手段（例えば、音源ＩＣ１５）と、を有することを特徴とする音楽フォント出力装置を提供する。
【００１１】
本発明によれば、聴覚により効率的に文字又は文章の内容をイメージ可能とする音楽フォント出力装置を提供することができる。なお、記号とは、一定の事柄を指し示すために用いる知覚の対象をいい、文字やアルファベット、数字、絵文字などコンピュータに表示される全ての知覚対象が含まれる。また、日本語、中国語、韓国語など言語の別は問わない。また、イメージとは心の中に思い浮かべる像である。
【００１２】
また、本発明の一形態において、記号コードが入力された場合、記号コードに対応づけて記憶された第１の音楽データを抽出し、第１の音楽データに基づき音楽を出力するための第１の音源データを生成する音源データ生成手段（例えば、サウンドライザ１０）を、有し、音楽出力手段は、音源データ生成手段により生成された第１の音源データに基づき音楽を出力する、ことを特徴とする。
【００１３】
本発明によれば、音楽データに基づき音源データを生成するので、小さな容量でフォントデータに音楽データを格納することができる。
【００１４】
また、本発明は、記号コードに対応する文字又は記号の描画情報が記憶されたフォントデータベースと、複数の文字又は記号から構成される用語の用語コードに対応づけて記憶された用語のイメージの第２の音楽データと、記号コードに対応する描画情報に基づき文字又は記号を表示装置に表示する記号表示手段と、記号コードに対応する第２の音楽データに基づき音楽を出力する音楽出力手段と、を有することを特徴とする音楽フォント出力装置を提供する。
【００１５】
本発明によれば、記号だけでなく用語のイメージの音楽を出力することができる。
【００１６】
また、本発明の一形態において、用語データが入力された場合、用語データに対応づけて記憶された第２の音楽データを抽出し、該第２の音楽データに基づき音楽を出力するための第２の音源データを生成する音源データ生成手段を、有し、音楽出力手段は、音源データ生成手段により生成された第２の音源データに基づき音楽を出力する、ことを特徴とする。
【００１７】
本発明によれば、用語に対応づけて格納された音楽データに基づき音源データを生成するので、音楽データの容量を小さくすることができる。
【００１８】
また、本発明の一形態において、記号コード又は用語データは、文字入力装置から入力される、ことを特徴とする。
【００１９】
本発明によれば、文字入力装置（例えば、キーボード）から記号（文字）を入力するたびに、記号のイメージの音楽を出力できる。文字入力装置は、文字を入力する入力装置の総称であり、記号を入力できるもの全てを言う。
【００２０】
また、本発明の一形態において、記号コード又は用語データは、アプリケーションソフトウェアのデータファイルから入力される、ことを特徴とする。
【００２１】
本発明によれば、ファイルを表示する場合に文字を表示すると共に音楽を出力することができる。
【００２２】
また、本発明の一形態において、用語コードに対応づけられて記憶された第２の音楽データは、入力された一連の記号コードを、辞書を利用して漢字を含む文に変換する言語入力フロントエンドプロセッサが備える、ことを特徴とする。
【００２３】
本発明によれば、フロントエンドプロセッサという情報処理装置に備えられている場合が多い機能により、用語のイメージの音楽を出力することができるため、処理速度の低下や煩わしさを感じることが少ない。
【００２４】
また、本発明の一形態において、フォントデータベースに、用語の用語コードに対応づけて用語間の優先順位が記憶されており、音楽出力手段は、優先順位の高い順に前記音楽を出力する、ことを特徴とする。
【００２５】
本発明によれば、フォントデータベースに用語間の優先順位を設けることで、用語に対応した音楽の出力に優先順位を付与することができ文章の意味をより伝えやすくすることができる。
【００２６】
また、本発明の一形態において、用語コードを含む電子メールを受信する受信手段と、電子メールに含まれる用語コードに対応した第２の音楽データがフォントデータベースに記憶されているか否かを判定する手段と、用語コードに対応した第２の音楽データがフォントデータベースに記憶されている場合、音楽出力手段は、電子メールの着信音として第２の音楽データに基づき生成した第２の音源データ又は記憶されている第２の音源データに基づき音楽を出力し、用語コードに対応した第２の音楽データがフォントデータベースに記憶されていない場合、音楽出力手段は、電子メールの着信音を出力する、ことを特徴とする。
【００２７】
本発明によれば、電子メールが着信した時に、電子メールの文書が含む用語に基づき音源データを生成し出力するので、ユーザは着信音により電子メールの内容を理解又は推測することができる。
【００２８】
また、本発明は、ネットワークを介して接続された発信端末から受信した電子メールを、ネットワークを介して接続された受信端末に送信するメールサーバにおいて、複数の文字又は記号から構成される用語の用語コードに対応づけて記憶された音楽データと、用語に対応する音楽データに基づき音源データを生成するか、又は、用語に対応する音源データを抽出して、電子メールに添付する音楽データ添付手段と、音楽データが添付された電子メールを受信端末に送信する送信手段と、を有することを特徴とする。
【００２９】
本発明によれば、メールサーバが音楽データ又は音源データを保持するので、送信端末及び受信端末のいずれも音源データを生成する仕組みを有していなくても、受信端末が文章の内容をイメージさせる音楽を出力することができる。
【００３０】
また、本発明の一形態において、送信端末は、音源データの添付を依頼する音楽付加依頼情報を電子メールと共に該メールサーバに送信することを特徴とする。
【００３１】
本発明によれば、音楽付加依頼情報を電子メールと共に送信しないことで、音源データを受信端末に送信しないことができる。
【００３２】
また、本発明の一形態において、受信端末は、受信した電子メールに音源データが添付されていた場合、電子メールの着信音として当該音源データに基づき音楽を出力する、ことを特徴とする。
【００３３】
本発明によれば、電子メールが着信した時に、電子メールの文書が含む用語に基づき音源データを生成し出力するので、ユーザは着信音により電子メールの内容を理解又は推測することができる。
【００３４】
また、本発明は、記号コードに対応づけて文字又は記号の描画情報が記憶されたフォントデータベースであって、記号コードと対応づけて第１の音楽データを格納している、ことを特徴とする。
【００３５】
また、本発明の一形態において、複数の記号コードから構成される用語の用語コードに対応づけて第２の音楽データを有し、用語の用語コードに対応づけて用語間の優先順位が記憶されている、ことを特徴とする。
【００３６】
また、本発明は、入力された一連の記号を、辞書を利用して漢字を含む文に変換する言語入力フロントエンドプロセッサ であって、辞書は、複数の記号又は文字から構成される用語の用語データに対応づけて該用語の音楽データを格納している、ことを特徴とする。
【発明の効果】
【００３７】
聴覚により効率的に文字又は文章の内容をイメージ可能とする音楽フォント出力装置、フォントデータベース及び言語入力フロントエンドプロセッサを提供することを目的とする。
【発明を実施するための最良の形態】
【００３８】
以下、本発明を実施するための最良の形態について、添付図面を参照しながら実施例を挙げて説明する。
【実施例１】
【００３９】
本実施例では、文字コードが発生する度に文字を表示すると共に、当該文字コードに対応する効果音を出力する場合について説明する。これにより、ユーザは文字を入力するだけで、文字が有するイメージの効果音を文字を入力した装置から出力することができるので、効果音を聞くだけで文字や文章の内容を想像することができる。
【００４０】
図１は、本実施例の音楽フォント出力装置のブロック図を示す。文字入力装置１１は、例えばキーボードであり、指でボタンを操作することでコンピュータに文字を入力する。キーボードには、英字、カナ、数字、記号などが刻印されたボタン(キー)が並んでおり、ユーザがキーを押すと、対応するキーコード（例えば、ＡＳＣＩＩコード）がコンピュータに送られる。1つのキーには複数の文字が割り当てられているおり（例えば、「A」と「ち」）、シフトキーやコントロールキーなどの補助キーとの組み合わせや入力モードを選択することで、どの文字を入力するか選べる。文字入力装置１１には種々の種類があるが、本実施例では文字に対応したキーコードを発生するものであればよく、タッチパネルや手書き文字入力、音声キーボード等であってもよい。キーコードはＢＩＯＳ（Basic Input Output System）により対応する文字コードに変換されＦＥＰ（Ｆｒｏｎｔ Ｅｎｄ  Ｐｒｏｃｅｓｓｏｒ）１２に送出される。
【００４１】
ＦＥＰ１２は、一連の文字コードを日本語や中国語等、ローマ字やひらがな以外の文字を用いた所定の言語に変換する、いわゆる、かな漢字変換を行う。例えば、文字入力装置１１で、Ｋ・Ｕ・Ｒ・Ｕ・Ｍ・Ａと入力された場合、ＦＥＰ１２は辞書１８を参照して一連の文字コードを「くるま」と変換すると共に、所定の操作や設定に応じて「車」や「久留間」等の漢字へ変換することを可能にする。「くるま」と変換した場合には「く」「る」「ま」それぞれに対応する３つの文字コードが、「車」と変換した場合は「車」に対応する１つの文字コードが生成される。なお、文字コードには、ＪＩＳコード、シフトＪＩＳコード、Ｕｎｉｃｏｄｅ等、種々の文字コードがあるが、本実施例はどの文字コードにおいても好適に適用できる。生成された文字コードはラスタライザ１３に送出される。
【００４２】
ラスタライザ１３は、文字コードに対応する文字をディスプレイ１４に表示できるように、色付きの小さな点の集まりとして表現する。ラスタライザ１３は、フォントデータＤＢ１７を有しており、文字コードに対応するフォントデータをフォントデータＤＢ１７から抽出する。
【００４３】
図２は、フォントデータＤＢ１７に格納されているフォントデータと後述する音楽データの一例を示す。フォントデータＤＢ１７には、文字コード毎にフォントデータが格納されている。フォントデータは、点の座標とそれを結ぶ線や面の方程式のパラメータ、および塗りつぶしなどの描画情報を示している。ラスタライザ１３は、文字コードに対応するフォントデータを抽出して、描画情報に基づく文字を指定された文字サイズの点の集まりとして形成する。
【００４４】
また、ラスタライザ１３は、サウンドライザ１０を有するように構成される。サウンドライザ１０は、文字コードに対応する音楽をスピーカ１６を介して出力できるように、音楽データに基づいて音源データを生成する。
【００４５】
図２に示したように、フォントデータＤＢ１７には、文字コード毎に音楽データが格納されている。音楽データは、一音ずつの音程、長さ、強さ、持続時の変化の仕方などを設定した音楽情報を示している。サウンドライザ１０は、文字コードに対応する音楽データを抽出して、音楽上方に基づく音源データ（例えば、ＦＭ音源データ、ＰＣＭ音源データ、ＭＩＤＩ（Musical Instrument Digital Interface）音源データ）を生成する。
【００４６】
音楽データには、文字の意味をイメージさせる音楽情報が格納されている。例えば、文字「車」に対応して格納された音楽データは、スピーカから出力すると「ぶーん」という車が走行する音楽となる。同様にして、例えば、
・文字「烏（からす）」に対しては、「カーカー」という烏が鳴く音楽データが、
・文字「雨」に対しては、「ざーざー」という雨が降る音の音楽データが、
・文字「炎」に対しては、「ボーボー」という火が燃える音の音楽データが、
・文字「海」に対しては、「ザブーン」という波の音の音楽データが、
・文字「走」に対しては、「たったったった」という走る音の音楽データが、
それぞれ格納されている。
【００４７】
したがって、サウンドライザ１０は、入力された文字のイメージの音楽を出力する音源データを生成できる。サウンドライザ１０は、音源ＩＣ１５に好適な音源データを生成し、生成した音源データを音源ＩＣ１５に送出する。音源ＩＣ１５は、音源データに基づき予め定められた音色の音楽を、アンプで増幅した後スピーカ１６を介して出力する。
【００４８】
なお、音楽データとして音源データをフォントデータＤＢ１７に格納しておいてもよい。かかる場合、音源データを、直接、音源ＩＣ１５に送出して音楽を出力する。また、音源データと音源ＩＣ１５の組み合わせが好適でない場合、サウンドライザ１０は、音源ＩＣ１５に適した音源データに変換する。
【００４９】
以上の構成に基づき、音楽フォント出力装置がキー入力に基づいて文字を表示させると共に音楽を出力する処理の手順を図３のフローチャート図に基づき説明する。
【００５０】
ユーザは、文字だけをディスプレイ１４に表示する場合と同様に、文字入力装置１１から所望の文字を入力する（Ｓ１１）。図３では、「ＫＵＲＵＭＡＤＥＩＫＵＹＯ」と入力した。
【００５１】
ＦＥＰ１２は、入力されたキー「ＫＵＲＵＭＡＤＥＩＫＵＹＯ」の文字コードに基づき、順次、日本語に変換する（Ｓ１２）。変換された日本語は、単語毎（「車」、「で」、「行く」、「よ」）や文節毎に確定してもよいし、一文（車で行くよ）で確定してもよい。ＦＥＰ１２は確定後の各文字の文字コードを生成し、ラスタライザ１３に送出する。
【００５２】
すなわち、ＦＥＰ１２は、「車」：３ｃ５６、「で」：２４４７、「行」：３９５４、「く」：２４２Ｆ、「よ」：２４６８、の文字コードを生成する。なお、文字コードはＪＩＳコードを使用した。
【００５３】
ラスタライザ１３は、変換後の文字コードに対応するフォントデータをフォントデータＤＢ１７から抽出し、各文字コードに対応する文字を一文字ずつディスプレイ１４に表示する（Ｓ１３）。
【００５４】
また、サウンドライザ１０は、フォントデータＤＢ１７を検索して、文字コードに対応する音楽データがあれば（ステップＳ１４のＹｅｓ）、文字コードに対応する音楽データを抽出し、音楽データに基づく音源データを生成する（Ｓ１５）。例えば、「車」という文字に対して「ぶーん」という音が出力されるように、音楽データ０ｘ１２、０ｘ１５、０ｘ９０…から音源データが生成される。音源データが生成されたら音源ＩＣ１５は、スピーカから該音楽を出力する（Ｓ１６）。
【００５５】
音楽フォント出力装置は、入力される文字が終了するまでかかる処理を繰りかえす（Ｓ１７）。なお、一文字ごとに音楽を出力しなくてもよく、一文に含まれる文字の音源データを蓄積しておき、一文の表示が終了したら一文中に含まれていた文字の音楽を順に出力してもよい。
【００５６】
本実施例によれば、文字が入力される毎に文字の意味をイメージできる音楽が出力されるので、ディスプレイ１４を見なくとも容易に文書の内容を想像することが可能となる。音楽データはフォントデータと同様に制御コードとして格納されているので、音楽ファイル（ＷＡＶＥやＭＰ３等）を格納しておく場合に比べ、極めて小さな容量で格納できる。したがって、携帯電話やＰＤＡ等の携帯端末に搭載することも容易になる。
【００５７】
〔変形例〕
上記では、文字毎に音楽データを格納しておくこととしたが、音楽データは用語毎に格納されていてもよい。図４は、ＦＥＰ１２が有する辞書１８に格納されている用語辞書の一例を示す。なお、用語とは、例えば自立語であり、自立語とは、実質的な事柄に対応する意味を持った語である。自立語には、名詞、動詞、形容詞、形容動詞等があるが、本実施例では主に名詞を例にして説明する。
【００５８】
辞書１８には、用語コードに対応づけてフォントデータ及び音楽データが格納されている。用語コードは、例えば「ラーメン」という用語（名詞）を表すために用いられ、「ラ」「ー」「メ」「ン」の各文字の文字コードにより構成されている。フォントデータは図２と同様に、「ラ」「ー」「メ」「ン」の各文字毎に、点の座標とそれを結ぶ線や面の方程式のパラメータ、および塗りつぶしなどの描画情報を示している。
【００５９】
音楽データは、各用語に対応して、一音ずつの音程、長さ、強さ、持続時の変化の仕方などを設定した音楽情報を示している。音楽データには、用語の意味をイメージさせる音楽情報が格納されている。例えば、
・「ラーメン」に対応して「づーづー」というラーメンをすする音の音楽データが、
・「台風」に対しては、「ごーごー」という風が強く吹く音の音楽データが、
・「小鳥」に対しては、「ピーチク」という小鳥のさえずる音の音楽データが、
・「バイク」に対しては、「ぶるんぶるん」というエンジンの音の音楽データが、
・「電車」に対しては、「がとんごとん」という走行時の音の音楽データが、
・「時計」に対しては、「ちくたく」という時計の音の音楽データが、
それぞれ格納されている。
【００６０】
ＦＥＰ１２は、日本語変換の結果に応じて辞書１８から用語に対応した音楽データをサウンドライザ１０に送出するので、サウンドライザ１０は、該音楽データに基づいて音源データを生成する。また、ラスタライザ１３は、用語やその他の文字からなる文章をディスプレイ１４に表示し、音源ＩＣ１５は音源データに基づき音楽を出力する。
【００６１】
したがって、本変形例によれば、文章の意味をイメージさせやすい名詞等の自立語に対応した音楽を出力することができるので、より容易に文書内容をイメージすることができる。なお、用語のイメージの音楽を出力すると共に、文字毎に文字のイメージの音楽を出力してもよい。
【実施例２】
【００６２】
実施例１では、文章を入力する場合に文字又は用語に対応する音楽が出力される場合について説明した。本実施例では、文章を含むファイルをディスプレイ等に表示する場合に文字又は用語をイメージさせる音楽を出力する場合について説明する。
【００６３】
図５は、本実施例の音楽フォント出力装置のブロック図を示す。なお、図５において図２と同一構成部分には同一の符号を付しその説明は省略する。図５のブロック図では、ファイル２１がアプリケーション２２に入力される構成を有する点で図２と異なる。また、図５のブロック図は、図４の用語辞書１９をフォントデータＤＢ１７が有するように構成されている。
【００６４】
ファイル２１は、ワープロソフトウェアやプレゼンテーションソフトウェア、電子メールソフトウェア、表計算ソフトウェア、ブラウザソフトウェア等で用いられる、文章を含む種々のフォーマットのデータファイルである。ファイル２１は、光ディスクなどの記憶媒体を介してアプリケーション２２に入力されてもよいし、ネットワークを介して受信されてもよい。
【００６５】
ファイル２１は、所定のアプリケーション２２に関連づけられており、アプリケーション２２によりファイル２１が含む文章が抽出される。アプリケーション２２は、ウィンドウやフレームを形成して、アイコンやメニュー等をディスプレイ１４に表示すると共に、抽出した文章をラスタライザ１３に送出する。
【００６６】
ラスタライザ１３は、文章を構成する各文字に対応するフォントデータをフォントデータＤＢ１７から抽出し、アプリケーション２２が指示する場所に、各文字を指定された文字サイズの点の集まりとして形成する。
【００６７】
同様に、サウンドライザ１０は、文章を構成する各文字に対応する音楽データをフォントデータＤＢ１７から抽出し、音楽データに基づく音源データを生成する。文章の中に、音楽データを有する文字が複数あれば、出現する順に音源データを生成し、順に蓄積する。
【００６８】
また、フォントデータＤＢ１７が、用語辞書１９のように用語に対応づけて音楽データを格納している場合、サウンドライザ１０はファイル２１の文章が含む用語に対応づけられている音楽データを抽出する。音源ＩＣ１５は、生成された音源データを順番にスピーカ１６から出力する。
【００６９】
以上の構成に基づき、音楽フォント出力装置が入力されたファイルが含む文字を表示させると共に音楽を出力する処理の手順を図６のフローチャート図に基づき説明する。
【００７０】
ユーザは、所望のアプリケーション２２を立ち上げ、ファイル２１を受信したりロードし、ファイル２１をオープンする（Ｓ２１）。例えば、アプリケーション２２が電子メールソフトウェアであった場合、受信したＥメールを開いた場合、本実施例の音楽フォント出力装置が作用する。
【００７１】
図７は、電子メールソフトウェアが起動してディスプレイ１４に表示される画面の一例を示す。電子メールソフトウェアは、コマンド欄３１、画面切替欄３２、受信メール一覧３３及び本文表示欄３４とを有する。
【００７２】
ユーザが、読みたいメールを受信メール一覧３３からマウス等で選択すると、選択されたメールのファイル２１が含む文章「明日、海に行ってビールを飲もう！」の各文字の文字コードがラスタライザ１３に送出される（Ｓ２２）。
【００７３】
ラスタライザ１３は、「明日、海に行ってビールを飲もう！」の各文字のフォントデータをフォントデータＤＢ１７から抽出し、各文字コードに対応する文字を指定された文字サイズの点の集まりとして形成し、一文字ずつディスプレイ１４に表示する（Ｓ２３）。図７に示すように、「明日、海に行ってビールを飲もう！」の文章が本文表示欄３４に表示される。
【００７４】
また、サウンドライザ１０は、「明日、海に行ってビールを飲もう！」の各文字コードに対応する音楽データをフォントデータＤＢ１７から抽出し、また、各用語に対応する音楽データを用語辞書１９から抽出する（Ｓ２４）。本実施例では、「海」、「飲」及び「ビール」について音楽データが抽出された。なお、図７では、音楽データが抽出された文字又は用語に下線を付した。
【００７５】
サウンドライザ１０は、抽出した「海」、「飲」及び「ビール」の音楽データに基づき音源データを生成する（Ｓ２５）。例えば、「海」という文字に対して「ザブーン」という音が、「飲」という文字に対して「ごくごく」という音が、「ビール」という用語に対して「シュポッ」という音が、それぞれ出力される音源データが生成される。音源データが生成されたら音源ＩＣ１５は、スピーカから該音楽を出力する（Ｓ２６）。
【００７６】
以上のように、本実施例によれば、予め作成されているファイルに含まれた文字や用語についても音楽を出力することができる。本実施例のように、Ｅメールから音楽を出力することで、内容の把握を容易にするだけでなく、聴覚により内容が伝達できる。すなわち、海に行ったときの気持ちやビールの味を想起させることができ、内容の伝達に極めて効果的となる。
【００７７】
また、例えば、プレゼンテーションソフトウェアにおいて、本実施例の音楽フォント出力装置を適用すれば、「達成」や「結果」など強調して伝達したい用語の表示と共に音楽を出力することができるので、聴衆に効果的にプレゼン内容を伝達できる。
【実施例３】
【００７８】
本実施例では、音楽フォント出力装置の設定について説明する。実施例１又は２のように、音楽フォント出力装置によれば効果的に文章の内容を音楽で表現することができるが、例えば、図書館等では音楽を出力したくない場合がある。本実施例では、音楽フォント出力装置のオン／オフ等の種々の設定を可能とする。
【００７９】
図８は、音楽フォント出力装置の設定画面の一例を示す。音楽フォント出力装置は、ＦＥＰ１２と同様に常駐型であり、ディスプレ１４のツールバーをクリックするなど所定の操作により起動する。
【００８０】
ユーザは「機能オン」又は「機能オフ」をマウス等で選択することで、音楽を出力するか否かを設定できる。また、「音楽出力」の項目では、“文字入力時”に音楽を出力するか否か、“ファイルオープン時”に音楽を出力するか否か、を設定できる。
【００８１】
また、「音楽出力タイミング」の項目では、“文字の入力毎”に音楽を出力するか、又は、“１文毎”に音楽を出力するか、を設定できる。“文字の入力毎”を選択した場合、文字が表示される毎に音楽が出力され、“１文毎”を選択した場合、句点が入力された後に、一文中に含まれる文字の音楽が順に出力される。なお、「音楽出力タイミング」の項目は、「音楽出力」の項目で、“文字入力時”を選択した場合に入力可能となる。
【００８２】
「音楽の登録」の項目は、ユーザが所望の音楽データを文字や用語に対応づけて登録することができる。例えば、ユーザが試しに聞きたい文字を、“文字入力”欄、“コード”欄、又は、“手書き入力”欄から入力する。そして、“出力”ボタンを押下して、出力された音楽が気に入らない場合や、音楽が登録されていない場合、「音楽データ選択」の項目から音楽データを登録する。
【００８３】
音楽データが予め登録されている登録元として“サーバ”又は“ファイル”が設定されているので、ユーザはサーバからダウンロードしたり、フォルダに格納されているファイルから音楽データを取得できる。ユーザは、“視聴”ボタンを押下して候補の音楽データを出力して、気に入った音楽であれば、「登録」ボタンを押下することで該音楽データを入力した文字に対応づける音楽データとして登録する。
【００８４】
本実施例によれば、ユーザが種々の設定をできると共に、所望の音楽データを登録することができる。
【００８５】
以上のように、本実施の形態によれば、聴覚により効率的に文字又は文章の内容をイメージ可能とすることができる。音楽データは制御コードとして格納されているので記憶容量を圧迫せず、携帯端末等にも容易に搭載できる。文字入力装置から文字を入力する場合だけでなく、ファイルをオープンする場合にも音楽が出力されるので、ユーザは容易にファイルの内容を把握できる。
【実施例４】
【００８６】
実施例２では、文章を含むファイルをディスプレイ等に表示する場合に、文字又は用語をイメージさせる音楽を出力したが、本実施例ではさらにその音楽を優先順位に従って順番に出力する場合について説明する。
【００８７】
本実施例の音楽フォント出力装置のブロック図は図５と同様であるが、用語辞書１９が用語に対応づけられた音楽データと共に優先順位を有する点で異なる。
【００８８】
図９は本実施例の用語辞書の一例を示す。図９で優先順位は整数で表示されており、「１」が最も優先順位が高く、数字が大きくなるほど優先順位が低くなる。一文の中に、複数の用語が含まれている場合、サウンドライザ１０は全ての音楽データ又は音源データを蓄積しておき、優先順位の高いものから順番にスピーカ１６から出力する。
【００８９】
優先順位の設定について説明する。優先順位は例えば３〜１０段階程度に設定可能であり、ユーザが各用語毎に任意に設定することができる。
【００９０】
図１０（ａ）は、ディスプレイ１４に表示される優先順位設定画面の一例を示す図である。図１０（ａ）の画面は、実施例３で説明したような常駐型の音楽フォント出力装置を起動して、ユーザが優先順位を設定するための機能を呼び出すことで表示される。優先順位を設定するための優先順位設定プログラムは、図９の用語辞書から用語と優先順位を読み出し図１０（ａ）のように表示する。
【００９１】
優先順位設定画面は、上側に用語の先頭文字を選択するための先頭文字選択欄４１を有し、先頭文字を選択するとその先頭文字で始まる用語の優先順位設定欄４２が表示される。図１０（ａ）では先頭文字として「あ」が選択された場合を示す。
【００９２】
優先順位設定欄４２は、「あ」行の文字（あいうえお）を先頭文字とする用語が順番に表示される。用語の横に優先順位を入力する欄があるので、ユーザは指示に従い例えば１〜１０の数値を入力することができる。
【００９３】
優先順位の入力が終了しユーザが終了ボタン４３を押下すると、優先順位設定プログラムは、優先順位を用語辞書に格納する。これにより、ユーザが任意で優先順位を設定することができる。
【００９４】
また、優先順位の設定は、品詞毎に設定可能であってもよい。図１０（ｂ）は優先順位設定画面の別の一例を示す。同様に、ユーザが優先順位を設定するための機能を呼び出すと図１０（ｂ）のような画面が表示される。なお、図１０（ｂ）のような品詞毎の優先順位の設定は、図１０（ａ）の優先順位設定画面の一機能としてもよい。
【００９５】
図１０（ｂ）では、品詞の例として名詞、動詞、形容詞（形容動詞）、副詞及び感動詞が表示されそれぞれに対応して優先順位の入力欄が表示されている。ユーザは自分の好みに応じて品詞毎に優先順位を入力できる。また、図１０（ｂ）では、品詞としての分類が困難であるが、品詞の一文類として擬音の優先順位の入力欄が表示されている。擬音（又は擬態語）は人や動物の声や物音をその音に似た形で描写したり、人や物の動き・様子を感覚的に描写したりするための言葉であり、例えば、「ひやり、どきどき、ぎらぎら、ドシュッ」などが該当する。擬音語は、音に似た響きを言葉で表現した用語なので、擬音語の優先順位を高く設定することで、文章の内容を音楽で出力した場合に有効である。
【００９６】
アプリケーション２２が起動されファイル２１が選択されると、アプリケーション２２はファイル２１が含む文章を抽出する。アプリケーション２２は文章を抽出してラスタライザ１３に送出するので、ラスタライザ１３は文章を構成する各文字に対応するフォントデータをフォントデータＤＢ１７から抽出し、アプリケーション２２が指示する場所に、各文字を指定された文字サイズの点の集まりとして形成する。
【００９７】
また、サウンドライザ１０は図９の用語辞書を参照し、文章に含まれる各用語毎に対応する音楽データ及び優先順位を抽出し蓄積し、優先順位の高い順に音楽データをソートする。そして、サウンドライザ１０は、ソートされた音楽データから順番に音源データを生成しスピーカ１６から出力する。なお、音源データがそのまま用語辞書１９に格納されている場合、直接音源データを抽出すればよい。
【００９８】
優先順位の同じ用語が一文に含まれていた場合、一文中に出現する順番に音楽を出力する。また、優先順位の高い順でなく低い順に音楽を出力してもよい。
【００９９】
図１１は、音楽フォント出力装置が入力されたファイルが含む文字を表示させると共に、優先順位に基づき順番に音楽を出力する処理の手順のフローチャート図である。なお、アプリケーション２２の一例として図７の電子メールソフトウェアを使用する。
【０１００】
ユーザは、所望のアプリケーション２２を立ち上げ、ファイル（電子メール）２１を受信しファイル２１をオープンする（Ｓ３１）。アプリケーション２２は電子メールソフトウェアであるので、受信した電子メールを開いた場合、本実施例の音楽フォント出力装置が作動する。
【０１０１】
ユーザが、読みたいメールを受信メール一覧３３からマウス等で選択すると、選択された電子メールが含む文章「明日、海に行ってビールを飲もう！」の各文字の文字コードがラスタライザ１３に送出される（Ｓ３２）。
【０１０２】
ラスタライザ１３は、「明日、海に行ってビールを飲もう！」の各文字のフォントデータをフォントデータＤＢ１７から抽出し、各文字コードに対応する文字を指定された文字サイズの点の集まりとして形成し、一文字ずつディスプレイ１４に表示する（Ｓ３３）。図７に示すように、「明日、海に行ってビールを飲もう！」の文章が本文表示欄３４に表示される。
【０１０３】
また、サウンドライザ１０は、「明日、海に行ってビールを飲もう！」の各用語に対応する音楽データ及び優先順位を用語辞書１９から抽出する（Ｓ３４）。本実施例では、「海」、「飲」及び「ビール」について音楽データ及び優先順位が抽出され、「海」の優先順位が１、「飲」の優先順位が３、「ビール」の優先順位が２である。
【０１０４】
サウンドライザ１０は、抽出した「海」、「飲」及び「ビール」の優先順位に基づき各用語の音楽データをソートする（Ｓ３５）。したがって、音楽データ、「海」、「ビール」、「飲」の順番にソートされる。
【０１０５】
ついで、サウンドライザ１０は、音楽データに基づき音源データを生成し、順番にスピーカ１６から出力する（Ｓ３６）。実施例３に示したように、例えば、「海」という文字に対して「ザブーン」という音が、「ビール」という用語に対して「シュポッ」という音が、「飲」という文字に対して「ごくごく」という音が、順番に出力される。
【０１０６】
文章に出現する順番では「ザブーン」、「ごくごく」、「シュポッ」という順番となるが、用語に優先順位を付与して優先順位に応じて音楽を出力することで、「ザブーン」、「シュポッ」、「ごくごく」、という順番で出力することができる。「ザブーン」の後に「ごくごく」という音楽が出力されると「海」に「飲」というイメージが結びつく可能性があるが、「ザブーン」の後に「シュポッ」という音楽を出力することで、「海」に「ビール」、さらには「ビール」に「ゴクゴク」という分かりやすいイメージを結びつけてユーザに聴かせることができる。
【０１０７】
〔変形例〕
用語辞書に予め優先順位が登録されていない場合であっても、用語に対応する音楽を出力する順番を変えることができる。
【０１０８】
例えば、一文を形態素解析して、主語と述語に相当する用語に音楽データが与えられていれば、主語と述語の用語の音楽を優先的に（最初に）出力してもよい。「猫が犬に追いかけられて走り出した」のような文章では、主語が「猫」、述語が「走り出した」であるので、猫に対応する音楽「ニャー」に続いて「タタタ」という音楽が出力され、ユーザは音楽を聴くことで文章の内容をイメージしやすくなる。
【０１０９】
また、係り受け関係がない又は遠い用語間の音楽を出力する場合、係り受け関係のない用語の音楽を出力するまでの時間を長めにすることで、ユーザは文章の内容に沿った音楽のイメージを認識しやすくなる。例えば「明日、海へ行ってビールを飲もう」という文章であれば、「海」は「行く」に係り、「ビール」は「飲もう」に係る。用語辞書に「海」、「ビール」及び「飲」に対応する音楽データが格納されている場合、「海（ザブーン）」の音楽を出力した後、通常よりも時間間隔をあけ、「ビール（シュポッ）」と「飲（ごくごく）」の間は通常通りの時間間隔で出力すると、音楽を出力する時間間隔で用語間の意味の結びつきを知ることができる。
【０１１０】
以上のように、本実施例の音楽フォント出力装置は、用語に対応した音楽の出力に優先順位を設けることでより文章の意味をより伝えやすくすることができる。
【実施例５】
【０１１１】
本実施例では、電子メールが含む用語に対応する音楽を電子メールの着信音として出力する場合について説明する。
【０１１２】
パーソナルコンピュータ（以下、単にパソコンという）の場合、電子メールソフトウェアが新着の電子メールを受信すると、予め設定された所定の音楽ファイル（ＷＡＶＥやＭＰ３等）が再生して出力される。また、携帯電話の場合、携帯電話が電子メールを受信するとＯＳ（Ｏｐｅｒａｔｉｎｇ  Ｓｙｓｔｅｍ）が予め設定された所定のＭＩＤＩデータなどの音源データを抽出し、音源ＩＣを介して当該音楽を出力する。また、携帯電話では送信元のメールアドレスに応じて抽出する音源データを選択することもできる。
【０１１３】
本実施例では、予め定められた着信音の代わりに電子メールの文章が含む用語に対応した音楽を出力する。図１２は、本実施例の音楽フォント出力装置のブロック図を示す。なお、図１２において図５と同一構成部分には同一の符号を付しその説明は省略する。図１２ではファイル２１の代わりに電子メール５１が、アプリケーション２２の代わりにメールソフトウェア又はＯＳ５２（以下、単にメール用プログラムと称す）を有する点で異なる。パソコンの場合、メール用プログラム５２は電子メールソフトウェアであり、携帯の場合は電子メールの受信時に音楽をならしたりＬＥＤを点灯させるＯＳが提供するプログラムである。
【０１１４】
図１３は、音楽フォント出力装置が電子メールを受信した場合に、着信音の代わりに電子メールが含む用語に対応した音楽を出力する処理手順のフローチャート図である。なお、図１３では携帯電話が電子メール５１を受信する場合について説明する。
【０１１５】
携帯電話の電源が入っている場合、メール用プログラム５２は電子メールの着信があるか否かの判定を繰り返す（Ｓ４１）。そして、電子メールが着信すると、メール用プログラム５２は、電子メールに含まれる文章をサウンドライザ１０に送出する（Ｓ４２）。本実施例では、例えば「明日、海へ行ってビールを飲もう」という文章がサウンドライザ１０へ送出される。
【０１１６】
サウンドライザ１０は、文章を構成する各用語について用語辞書１９から用語に対応づけて格納された音楽データを抽出する。この時の用語辞書１９は、図４のように優先順位を有していなくても図９のように優先順位を有していてもよい。音楽データが抽出された場合はそれらを蓄積しておき、サウンドライザ１０は音楽データが抽出されたことを示すフラグを当該電子メールに設定する。なお、音源データがそのまま用語辞書１９に格納されている場合、直接音源データを抽出する。
【０１１７】
そして、メール用プログラム５２はフラグを参照して、電子メール中の用語に対応した音楽データが存在したか否かを判定する（Ｓ４３）。電子メール中の用語に対応した音楽データが存在した場合（Ｓ４３のＹｅｓ）、サウンドライザ１０は蓄積した音楽データに基づき音源データを生成し音源ＩＣ１５に送出する。これにより、用語に対応した音楽がスピーカ１６から出力される（Ｓ４４）。したがって、本実施例では「ザブーン」、「シュポッ」、「ゴクゴク」という音楽が出力されるので、予め設定されている着信音ではなく、電子メールの文章の内容に応じた音楽を出力することができる。なお、着信音の音量や鳴動時間は設定された内容に応じて定まる。
【０１１８】
また、電子メール中の用語に対応した音楽データが存在しない場合（Ｓ４３のＮｏ）、メール用プログラム５２は予め設定されている音源データを抽出して音源ＩＣ１５に送出する。これにより、通常の着信音がスピーカ１６から出力される（Ｓ４５）。例えば、「ピロローン」と出力される。
【０１１９】
なお、ステップＳ４２で用語に対応する音楽データが抽出された場合、そのまま音源データを生成し音楽を出力してもよい。この場合、サウンドライザ１０は、音楽データが抽出されない場合にのみその旨をメール用プログラム５２に通知する。
【０１２０】
本実施例によれば、電子メールが着信した時に、電子メールの文書が含む用語に基づき音源データを生成し出力するので、ユーザは着信音により電子メールの内容を理解又は推測することができる。電子メール中の用語に対応した音楽データが存在しない場合、予め設定されている着信音が出力されるので、電子メールの着信に気づかないこともない。
【実施例６】
【０１２１】
これまでの実施例では携帯電話又はパソコンに搭載されたサウンドライザ１０が音源データを生成しそのまま出力していた。本実施例ではサーバに搭載されたサウンドライザ１０が音源データを生成してクライアントに送信し、クライアントが受信した音源データを再生する実施の形態について説明する。
【０１２２】
図１４は電子メールの配信システムの全体構成図を示す。携帯電話やＰＨＳ（以下、単に発信端末６１という）の場合、発信端末６１から発信された電波（電子メール）は所定の面積をカバーするように配置された基地局に受信され、電子メールは基地局が接続されたインターネットなどのネットワークを介してメールサーバ６２に送信される。メールサーバ６２は電子メールの送信先アドレスを解析し、ネットワークを介し受信先端末６５の周辺にある基地局に電子メールを送信し、基地局から受信端末６５に電子メールが送信される。また、パソコン６４に電子メールを送信する場合、メールサーバ６２はパソコン６４が加入している例えばプロバイダのメールサーバ（不図示）に電子メールを送信し、プロバイダのメールサーバからパソコン６４に電子メールが送信される。
【０１２３】
本実施例では、発信端末６１、及び、受信端末６５又はパソコン６４（以下、区別せず単に受信端末６５という）のいずれも音源データを生成せず、メールサーバ６２が電子メールの文章に応じて音源データを生成し、電子メール及び音源データを受信端末６５に送信する。このため、メールサーバ６２はフォントデータＤＢ１７を有するように構成される。
【０１２４】
ところで、送信者が音源データの送信を所望しない場合もある。そこで、送信者は音源データを受信端末６５に送信したい場合、電子メールを送信する時に音源データを受信端末６５に送信することをメールサーバ６２に依頼する。音源データの送信を依頼する場合、送信者は発信端末のメールソフトウェアに設けられたラジオボタンを選択する等の簡易な構成で実現できる。
【０１２５】
ラジオボタンの選択等、送信者の指示がある場合、発信端末６１のメールソフトウェアは、音楽付加依頼情報を当該電子メールと共にメールサーバ６２に送信する。音楽付加依頼情報は、ＨＴＭＬメール（例えばデコメール（登録商標））のように所定のタグに記述されるようにしてもよいし、ヘッダ部の例えば「Ｓｕｂｊｅｃｔ」に記述される「題名」の最後に特殊な記号を付加したり、添付ファイルとして送信される。
【０１２６】
なお、受信者側が音源データの受信を所望しない場合、予めメールサーバ６２にその旨の設定をしておけばよい。
【０１２７】
図１５はメールサーバ６２に搭載された音楽フォント出力装置のブロック図を示す。なお、図１５において図５と同一部分には同一の符号を付しその説明は省略する。図１５ではアプリケーション２２の代わりにサービスプログラム６６を有し、また、メールサーバ６２は音楽を出力しないので音源ＩＣ１５やスピーカ１６を有さない。
【０１２８】
サービスプログラム６６は、電子メールから文章を抽出する機能及び生成された音源データを元の電子メールに添付することができればよい。例えば、メールサーバで使用されることがあるＳｅｎｄｍａｉｌ（登録商用）ソフトウェアを利用してもよい。なお、メールサーバ６２における音源データの生成方法は実施例２、４又は５と同様であるので説明は省略する。
【０１２９】
図１６はメールサーバ６２の音楽フォント出力装置が音源データを生成する処理手順を示すフローチャート図である。
【０１３０】
まず、サービスプログラム６６は、電子メールを受信する（Ｓ５１）。電子メールの文章は、例えば「明日、海に行ってビールを飲もう」である。そしてサービスプログラム６６は、電子メールと共に音楽付加依頼情報が送信されているか否かを判定する（Ｓ５２）。
【０１３１】
音楽付加依頼情報がなければ（Ｓ５２のＮｏ）、サービスプログラム６６はメールソフトウェアに電子メールを渡して、そのまま電子メールが受信端末５５に送信される（Ｓ５５）。
【０１３２】
音楽付加依頼情報がある場合（Ｓ５２のＹｅｓ）、サービスプログラム６６は電子メール中の文章を抽出し、サウンドライザ１０に送出する。サウンドライザ１０は、用語に対応した音楽データをフォントデータＤＢ１７から抽出し、音源データを生成する（Ｓ５３）。生成される音源データは「ザブーン」、「シュポッ」、「ゴクゴク」を音楽として出力させるものである。なお、メールサーバ６２は比較的大容量のフォントデータＤＢ１７を有することができるので、用語に対応した音源データを直接抽出するように構成してもよい。
【０１３３】
ついで、サービスプログラム６６は音源データを電子メールに添付し、また、電子メールから音楽付加依頼情報を削除する（Ｓ５４）。音楽付加依頼情報を削除することで、受信端末６５に余計な情報を送信することが防止できる。サービスプログラム６６は、音源データが添付された電子メールをメールソフトウェアに渡す。
【０１３４】
メールソフトウェアは電子メール及び音源データを受信端末６５に送信する（Ｓ５５）。以上のようにして、電子メールと共に音源データが受信端末６５に送信される。
【０１３５】
図１７は受信端末６５が電子メールと共に音源データを受信して着信音として音楽を出力する手順を示すフローチャート図である。
【０１３６】
携帯電話の電源が入っている場合、受信端末６５のメール用プログラムは電子メールの着信があるか否かの判定を繰り返す（Ｓ６１）。そして、電子メールが着信すると、メール用プログラムは、電子メールに音源データが添付されているか否かを判定する（Ｓ６２）。
音源データが添付されているか否かの判定は、所定の拡張子の添付ファイルが添付されているか否かにより判定される。
【０１３７】
電子メールに音源データが添付されていない場合（Ｓ６２のＮｏ）、メール用プログラムは予め設定されている音源データを抽出して音源ＩＣに送出する。これにより、通常の着信音がスピーカ１６から出力される（Ｓ６４）。例えば、「ピロローン」と出力される。
【０１３８】
電子メールに音源データが添付されている場合（Ｓ６２のＹｅｓ）、メール用プログラムは添付されている音源データに基づき音楽を出力する（Ｓ６３）。すなわち、受信端末６５のスピーカ１６から「ザブーン」、「シュポッ」、「ゴクゴク」の音楽が出力される。これにより、電子メールの文章の内容に応じた音楽を着信音として出力することができ、着信音により電子メールの内容をイメージすることができる。
【０１３９】
なお、本実施例では、電子メールに添付された音源データを着信音として出力したが、音源データが添付されている場合も予め設定されている着信音を出力し、電子メールがオープンされた時に添付された音源データにより音楽を出力してもよい。
【０１４０】
本実施例によれば、発信端末及び受信端末のいずれにも音楽フォント出力装置が搭載されていなくても、文章の内容に応じた音楽を受信端末で出力することができ、受信者は音楽を聴くことで電子メールの内容をイメージすることができる。
〔ハードウェア構成について〕
音楽フォント出力装置が搭載される装置はパソコンや携帯電話など周知のコンピュータであればよい。図１８は音楽フォント出力装置が搭載されるコンピュータのハードウェア構成の一例を示す図である。
【０１４１】
コンピュータは、各部を集中的に制御するＣＰＵ（Central Processing Unit）７１を備えており、このＣＰＵ７１には、ＢＩＯＳなどを記憶した読出し専用メモリであるＲＯＭ（Read Only Memory）７２と、各種データを書換え可能に記憶してＣＰＵ７１の作業エリアとして機能するＲＡＭ（Random Access Memory）７３とがバス７５で接続されている。バス７５には、フラッシュメモリやＨＤＤ等の外部記憶装置７４と、ＣＤ（Compact Disc）−ＲＯＭやメモリカード等の記憶媒体７８を読み取るドライブ装置７６と、携帯電話網やＬＡＮ（Ｌｏｃａｌ  Ａｒｅａ  Ｎｅｔｗｏｒｋ）に接続するための通信装置７７、入出力装置７９が接続されている。
【０１４２】
入出力装置７９は、キーボードやマウスの操作による入力を受け付ける入力装置、ディスプレイ１４や音源ＩＣ１５及びスピーカ１６などに相当する。
【０１４３】
記号表示手段を実現するためのプログラム及び音源データ生成手段を実現するためのプログラムは、外部記憶装置７４に格納されており、ＣＰＵ７１がこれらのプログラムを実行することで、記号表示手段（ラスタライザ１３）、音源データ生成手段（サウンドライザ１０）が実現される。また、フォントデータベース１７、用語辞書１９及びＦＥＰ１２も外部記憶装置７４に格納されている。アプリケーション２２、メール用プログラム５２又はサービスプログラム６６も外部記憶装置７４に格納されている。
【図面の簡単な説明】
【０１４４】
【図１】実施例１の音楽フォント出力装置のブロック図である。
【図２】フォントデータＤＢに格納されているフォントデータと音楽データの一例である。
【図３】キー入力に基づいて文字を表示させると共に音楽を出力する処理の手順を示すフローチャート図である。
【図４】用語に対応づけて音楽データが格納された用語辞書の一例である。
【図５】実施例２の音楽フォント出力装置のブロック図である。
【図６】ファイルが含む文字を表示させると共に音楽を出力する処理の手順を示すフローチャート図である。
【図７】電子メールソフトウェアの画面の一例である。
【図８】音楽フォント出力装置の設定画面の一例である。
【図９】優先順位を有する用語辞書の一例である。
【図１０】ディスプレイに表示される優先順位設定画面の一例を示す図である。
【図１１】音楽フォント出力装置が入力されたファイルが含む文字を表示させると共に、優先順位に基づき順番に音楽を出力する処理手順を示すフローチャート図である。
【図１２】実施例５における音楽フォント出力装置のブロック図である。
【図１３】音楽フォント出力装置が電子メールを受信した場合に、着信音の代わりに電子メールが含む用語に対応した音楽を出力する処理手順のフローチャート図である。
【図１４】電子メールの配信システムの全体構成図である。
【図１５】メールサーバに搭載された音楽フォント出力装置のブロック図である。
【図１６】メールサーバの音楽フォント出力装置が音源データを生成する処理手順を示すフローチャート図である。
【図１７】受信端末が電子メールと共に音源データを受信して着信音として音楽を出力する手順を示すフローチャート図である。
【図１８】音楽フォント出力装置が搭載されるコンピュータのハードウェア構成の一例を示す図である。
【符号の説明】
【０１４５】
１０    サウンドライザ
１１    文字入力装置
１２    ＦＥＰ
１３    ラスタライザ
１４    ディスプレイ
１５    音源ＩＣ
１６    スピーカ
１７    フォントデータＤＢ
１８    辞書
１９    用語辞書
【図１】
2006323827.tif 000003
【図２】
2006323827.tif 000004
【図３】
2006323827.tif 000005
【図４】
2006323827.tif 000006
【図５】
2006323827.tif 000007
【図６】
2006323827.tif 000008
【図７】
2006323827.tif 000009
【図８】
2006323827.tif 000010
【図９】
2006323827.tif 000011
【図１０】
2006323827.tif 000012
【図１１】
2006323827.tif 000013
【図１２】
2006323827.tif 000014
【図１３】
2006323827.tif 000015
【図１４】
2006323827.tif 000016
【図１５】
2006323827.tif 000017
【図１６】
2006323827.tif 000018
【図１７】
2006323827.tif 000019
【図１８】
2006323827.tif 000020